(57)【要約】【課題】  スコープ先端部のＣＣＤへの配線を増やすことなく、ＣＣＤのラッチアップ等による破損を防止することができるＣＣＤ制御システム及び電子内視鏡装置を提供する。【解決手段】  ＣＣＤ制御システムにおいて、出力信号を通過させる通常状態または所定の信号を出力する異常状態の２種類の異なる導通状態を有し、基板バイアス電圧に基づいて２種類の異なる導通状態のうちいずれか一方の状態が選択される、伝送路上に備えられた導通状態切替手段と、導通状態切替手段の出力を監視し、導通状態切替手段の出力が所定の信号であるとき、駆動手段へ駆動信号の供給を停止するための指示を行う、伝送路変更手段と信号処理手段の間の伝送路上に備えられた出力信号監視手段と、を備えるＣＣＤ制御システムを提供する。【選択図】  図２
2006212247.tif 000002
【特許請求の範囲】
【請求項１】
ＣＣＤへ駆動信号を供給しＣＣＤを駆動させるための駆動手段と、ＣＣＤに入力する基板バイアス電圧を生成するためのバイアス生成手段と、ＣＣＤからの出力信号を信号処理手段まで伝送するための伝送路とを有するＣＣＤ制御システムにおいて、
前記出力信号を通過させる通常状態または所定の信号を出力する異常状態の２種類の異なる導通状態を有し、前記基板バイアス電圧に基づいて前記２種類の異なる導通状態のうちいずれか一方の状態が選択される、前記伝送路上に備えられた導通状態切替手段と、
前記導通状態切替手段の出力を監視し、前記導通状態切替手段の出力が前記所定の信号であるとき、前記駆動手段へ前記駆動信号の供給を停止するための指示を行う、前記導通状態切替手段と前記信号処理手段の間の伝送路上に備えられた出力信号監視手段と、
を備えることを特徴とするＣＣＤ制御システム。
【請求項２】
前記導通状態切替手段は、前記基板バイアス電圧が予め設定されている所定の値以上の場合に通常状態をとり、当該所定の値未満の場合に異常状態をとることを特徴とする請求項１に記載のＣＣＤ制御システム。
【請求項３】
前記前記導通状態切替手段は、前記出力信号が入力される信号入力端子、前記出力信号監視手段へ接続される信号出力端子、及びグランドへ接続されるＧＮＤ端子からなる３端子のスイッチを有し、通常状態では前記信号入力端子と前記信号出力端子が導通され、異常状態では前記ＧＮＤ端子と前記信号出力端子が導通されるように前記導通状態を変更することを特徴とする請求項１または２に記載のＣＣＤ制御システム。
【請求項４】
前記出力信号監視手段は、前記導通状態切替手段の出力信号電圧がグランド付近となった場合に、前記駆動信号の供給を停止するための指示を行うことを特徴とする請求項３に記載のＣＣＤ制御システム。
【請求項５】
前記出力信号監視手段は、前記駆動信号の供給を停止するための指示を行うと同時に、異常検出信号を送信することを特徴とする請求項１から４のいずれかに記載のＣＣＤ制御システム。
【請求項６】
スコープとプロセッサとを備え、スコープ内部にはＣＣＤへ駆動信号を供給しＣＣＤを駆動させるための駆動手段と、ＣＣＤに入力するための基板バイアス電圧を生成するためのバイアス生成手段と、ＣＣＤからの出力信号を信号処理手段まで伝送するための伝送路とを備え、スコープ先端部にＣＣＤを有する電子内視鏡装置において、
前記出力信号を通過させる通常状態または所定の信号を出力する異常状態の２種類の異なる導通状態を有し、前記基板バイアス電圧に基づいて前記２種類の異なる導通状態のうちいずれか一方の状態が選択される、前記伝送路上に備えられた導通状態切替手段と、
前記導通状態切替手段の出力を監視し、前記導通状態切替手段の出力が前記所定の信号であるとき、前記駆動手段へ前記駆動信号の供給を停止するための指示を行う、前記導通状態切替手段と前記信号処理手段の間の伝送路上に備えられた出力信号監視手段と、
を備えることを特徴とする電子内視鏡装置。
【請求項７】
前記導通状態切替手段は、前記基板バイアス電圧が予め設定されている所定の値以上の場合に通常状態をとり、当該所定の値未満の場合に異常状態をとることを特徴とする請求項６に記載の電子内視鏡装置。
【請求項８】
前記導通状態切替手段は、前記出力信号が入力される信号入力端子、前記出力信号監視手段へ接続される信号出力端子、及びグランドへ接続されるＧＮＤ端子からなる３端子のスイッチを有し、通常状態では前記信号入力端子と前記信号出力端子が導通され、異常状態では前記ＧＮＤ端子と前記信号出力端子が導通されるように前記導通状態を変更することを特徴とする請求項６または７に記載の電子内視鏡装置。
【請求項９】
前記出力信号監視手段は、前記導通状態切替手段の出力信号電圧がグランド付近となった場合に、前記駆動信号の供給を停止するための指示を行うことを特徴とする請求項８に記載の電子内視鏡装置。
【請求項１０】
前記出力信号監視手段は、前記駆動信号の供給を停止するための指示を行うと同時に、異常検出信号を送信することを特徴とする請求項６から９のいずれかに記載の電子内視鏡装置。
【請求項１１】
前記導通状態切替手段が、スコープ部先端のＣＣＤ付近に配置されていることを特徴とする請求項６から１０のいずれかに記載の電子内視鏡装置。
【請求項１２】
前記駆動手段、前記バイアス生成手段、前記信号処理手段、及び前記出力信号監視手段が、前記スコープ内部の前記スコープが前記プロセッサと接続される基端部付近に配置されていることを特徴とする請求項６から１１のいずれかに記載の電子内視鏡装置。
【発明の詳細な説明】
【技術分野】
【０００１】
本発明は、ＣＣＤの破損を防止するためのＣＣＤ制御システムと、それを用いた電子内視鏡装置に関する。
【背景技術】
【０００２】
ＣＣＤ（Charge Coupled Devices：固体撮像素子）は、その受光面上に結像した被写体の光学像を光電変換により電気信号に変換することができるデバイスである。通常、この電気信号はデバイス外部のＣＣＤ制御回路に備えられた信号処理部により処理されて映像信号として出力される。ＣＣＤを駆動させるためには複数種類の電源電圧やクロックパルスを供給する必要があり、その電源電圧の一つとして基板バイアス電圧（以降、Vsubという）が用いられる。VsubはVsub生成回路により生成されるが、ＣＣＤにはVsub生成回路をデバイス内部に有するもの（Vsub内部生成型）と、デバイス外部のＣＣＤ制御回路に有するVsub生成回路からVsubが供給されるもの（Vsub外部生成型）とがある。
【０００３】
ところで、電子内視鏡は、体腔内に挿入される挿入部、操作部、プロセッサ部に接続するためのケーブル及びコネクタ等からなるスコープ部と、スコープ部に供給するための電源及び光源やスコープ部からの映像信号を処理してモニタへと出力する等の機能を有するプロセッサ部とからなる。挿入部は、患者の苦痛を軽減するため及び体内の細管内を観察することができるよう可能な限り細径となるように日々研究開発がなされている。従って、スコープ部の挿入部の先端に配置されるＣＣＤは、より小型であるほうがよい。
【０００４】
Vsub外部生成型のＣＣＤはデバイス内部にVsub生成回路を形成する領域を必要としないため、Vsub内部生成型のＣＣＤよりも小型化が可能である。一方でVsub外部生成型のＣＣＤには、Vsub生成回路を備えるＣＣＤ制御回路からＣＣＤへと延びるVsub供給線が必要となる。通常、ＣＣＤ制御回路の配置はスコープ内部ではあるがプロセッサ近く（コネクタ付近）である。そのため、Vsub供給線は他の信号線と同様、スコープの内部を通って挿入部先端に設けられたＣＣＤまで延びている。
【０００５】
したがって、Vsub外部生成型のＣＣＤを備える電子内視鏡では、Vsub内部生成型のＣＣＤを備える電子内視鏡と比して、ＣＣＤにVsubが入力されずに（もしくは電圧レベルが低下して）他の信号（例えばクロックパルス）が入力されてしまう可能性が高くなる。その結果、ラッチアップ等によるＣＣＤの破損が引き起こる可能性が、Vsub内部生成型のＣＣＤの場合より高くなる。Vsubが入力されない原因は、Vsub生成回路に起因するVsub出力異常（Vsub生成回路の出力低下等、以下同様）やVsub生成回路からＣＣＤまでのVsub供給異常（例えば、Vsub供給線のショート、断線、接点不良等、以下同様）が考えられる。Vsub外部生成型のＣＣＤについては、Vsub出力異常を検知したら、ＣＣＤへのVsub以外の信号の入力を即座に停止することにより、ラッチアップ等を防止することが望ましい。
【発明の開示】
【発明が解決しようとする課題】
【０００６】
一方、Vsub供給異常を検出してラッチアップ等を防止するためには、例えば、ＣＣＤ付近にVsubをモニタするための部品等を配置することが考えられるが、その場合、モニタ信号をＣＣＤ制御回路へ伝送するための信号線を新たに設けなければならない。信号線を増やすことは、スコープに配線のためのスペースを要し挿入部の径が大きくなること、またその信号線の断線・ショート等の新たな懸念材料も増えることとなるので、好ましくない。したがって、従来は、上述のようなVsub外部生成型のＣＣＤを用いた電子内視鏡において、信号線を増やすことなく、ＣＣＤ付近のVsubをモニタすることが困難であった。その結果、Vsub供給異常によってVsubが低下した際に、ＣＣＤに信号が入力され、ラッチアップ等を引き起こしＣＣＤが破損してしまうという可能性が、Vsub内部生成型のＣＣＤの場合よりも高くなってしまうという問題があった。
【０００７】
そこで本発明は、上述した従来技術の問題点に鑑みてなされたものであり、スコープ先端部のＣＣＤへの配線を増やすことなく、Vsub出力異常及びVsub供給異常を検出し、ＣＣＤのラッチアップ等による破損を防止することができるＣＣＤ制御システムを提供し、さらにそのシステムを電子内視鏡に用いることにより、スコープ内に配線を増やすことなく、上記異常を検出し、ＣＣＤのラッチアップ等による破損を防止することができる電子内視鏡装置を提供することを目的とする。
【課題を解決するための手段】
【０００８】
上記の課題を解決するため、本発明に係るＣＣＤ制御システムは、ＣＣＤへ駆動信号を供給しＣＣＤを駆動させるための駆動手段と、ＣＣＤに入力する基板バイアス電圧を生成するためのバイアス生成手段と、ＣＣＤからの出力信号を信号処理手段まで伝送するための伝送路とを有するＣＣＤ制御システムにおいて、出力信号を通過させる通常状態または所定の信号を出力する異常状態の２種類の異なる導通状態を有し、前記基板バイアス電圧に基づいて２種類の異なる導通状態のうちいずれか一方の状態が選択される、前記伝送路上に備えられた伝送路変更手段と、前記伝送路変更手段からの出力を監視し、導通状態切替手段の出力が前記所定の信号であるとき、前記駆動手段へ前記駆動信号の供給を停止するための指示を行う、前記導通状態切替手段と前記信号処理手段の間の伝送路上に備えられた出力信号監視手段と、を備えることを特徴とする。
【０００９】
本発明に係るＣＣＤ制御システムの上記の構成により、ＣＣＤへの配線を増やさなくとも、従来の出力信号線上に種々の手段を備えることで、Vsub供給異常およびVsub出力異常を検出することができ、即座にＣＣＤへの駆動信号を停止することにより、ラッチアップ等を防止することができる。
【００１０】
また、前記導通状態切替手段は、前記基板バイアス電圧が予め設定されている所定の値以上の場合に通常状態をとり、当該所定の値未満の場合に異常状態をとることを特徴とする。
【００１１】
また、前記導通状態切替手段は、前記出力信号が入力される信号入力端子、前記出力信号監視手段へ接続される信号出力端子、及びグランドへ接続されるＧＮＤ端子からなる３端子のスイッチを有し、通常状態では前記信号入力端子と前記信号出力端子が導通され、異常状態では前記ＧＮＤ端子と前記信号出力端子が導通されるように前記伝送路を変更することを特徴とする。
【００１２】
また、前記出力信号監視手段は、前記導通状態切替手段の出力信号電圧がグランド付近となった場合に、前記駆動信号の供給を停止するための指示を行うことを特徴とする。
【００１３】
また、前記出力信号監視手段は、前記駆動信号の供給を停止するための指示を行うと同時に、異常検出信号を送信することを特徴とする。
【００１４】
さらに、本発明に係る電子内視鏡装置は、スコープとプロセッサとを備え、スコープ内部にはＣＣＤへ駆動信号を供給しＣＣＤを駆動させるための駆動手段と、ＣＣＤに入力するための基板バイアス電圧を生成するためのバイアス生成手段と、ＣＣＤからの出力信号を信号処理手段まで伝送するための伝送路とを備え、スコープ先端部にＣＣＤを有する電子内視鏡装置において、出力信号を通過させる通常状態または所定の信号を出力する異常状態の２種類の異なる導通状態を有し、前記基板バイアス電圧に基づいて２種類の異なる導通状態のうちいずれか一方の状態が選択される、前記伝送路上に備えられた導通状態切替手段と、前記導通状態切替手段からの出力を監視し、導通状態切替手段の出力が前記所定の信号であるとき、前記駆動手段へ前記駆動信号の供給を停止するための指示を行う、前記伝送路変更手段と前記信号処理手段の間の伝送路上に備えられた出力信号監視手段と、を備えることを特徴とする。
【００１５】
本発明に係る電子内視鏡の上記の構成により、スコープ先端に配置されたＣＣＤへ配線を増やさなくとも、従来の出力信号線上に種々の手段を備えることで、Vsub供給異常を検出することができ、即座にＣＣＤへの駆動信号を停止して、ラッチアップ等を防止することができる。
【００１６】
また、前記導通状態切替手段は、前記基板バイアス電圧が予め設定されている所定の値以上の場合に通常状態をとり、当該所定の値未満の場合に異常状態をとることを特徴とする。
【００１７】
また、前記導通状態切替手段は、前記出力信号が入力される信号入力端子、前記出力信号監視手段へ接続される信号出力端子、及びグランドへ接続されるＧＮＤ端子からなる３端子のスイッチを有し、通常状態では前記信号入力端子と前記信号出力端子が導通され、異常状態では前記ＧＮＤ端子と前記信号出力端子が導通されるように前記導通状態を変更することを特徴とする。
【００１８】
また、前記出力信号監視手段は、前記導通状態切替手段の出力信号電圧がグランド付近となった場合に、前記駆動信号の供給を停止するための指示を行うことを特徴とする。
【００１９】
また、前記出力信号監視手段は、前記駆動信号の供給を停止するための指示を行うと同時に、異常検出信号を送信することを特徴とする。
【００２０】
また、前記導通状態切替手段が、スコープ部先端のＣＣＤ付近に配置されていることを特徴とする。
【００２１】
また、前記駆動手段、前記バイアス生成手段、前記信号処理手段、及び前記出力信号監視手段が、前記スコープ内部の前記スコープが前記プロセッサと接続される基端部付近に配置されていることを特徴とする。
【発明の効果】
【００２２】
したがって、本発明は上記の構成により、ＣＣＤからの配線を増やすことなく、Vsub供給異常及びVsub出力異常を検出したら、即座にＣＣＤへの信号入力を停止することでＣＣＤのラッチアップ等による破損を防止することができるＣＣＤ制御システムを提供し、さらにこのシステムを電子内視鏡に用いることにより、スコープ部先端のＣＣＤからスコープ内に配設される配線を増やすことなく、Vsub出力異常及びVsub供給異常をＣＣＤ付近で検出することができ、即座にＣＣＤへの信号入力を停止することでＣＣＤのラッチアップ等による破損を防止することができる電子内視鏡装置を提供することができる。
【発明を実施するための最良の形態】
【００２３】
以下、本発明に係るＣＣＤ制御システム及び電子内視鏡装置の具体的な実施形態を説明する。
【００２４】
図１は、本発明の実施形態に係るＣＣＤ制御システムを備える電子内視鏡装置１の機能ブロック図である。電子内視鏡装置１は、スコープ部２及びプロセッサ部３からなる。スコープ部２とプロセッサ部３はスコープ部２の図示しないコネクタで互いに接続されている。また、プロセッサ部３には、操作部９０及びモニタ８０が接続されている。
【００２５】
スコープ部２は、図示しない内視鏡の挿入部、操作部、鉗子差込口、ケーブル、コネクタ等からなる。また、その内部には、ＣＣＤ部１００及びＣＣＤ制御回路２００（図２参照）からなるＣＣＤシステム１０、ＣＣＤシステム１０からの映像信号を伝送するための信号ドライブ回路１１、その他図示しないライトガイド、鉗子チャンネル、操作ケーブル、送気・送水管等の様々な機能を含む。このスコープ部２をハンドリングして術者は患者の体腔内の観察・処置を行う。
【００２６】
プロセッサ３は、電源部２０、絶縁部３０、映像信号処理回路４０、メモリ部５０、ビデオ画像処理回路６０、制御部７０を有する。その他図示しない光源部（ランプや絞り、ＲＧＢカラーフィルタ等）も含まれる。電源部２０は、映像信号処理回路４０、メモリ部５０、ビデオ画像処理回路６０、制御部７０、及びＣＣＤシステム１０、信号ドライブ回路１１にそれぞれの電源を供給している。
【００２７】
絶縁部３０は、信号線に絶縁手段を設けることによりスコープ部２とプロセッサ部３を電気的に絶縁する機能を有する。絶縁部３０には、絶縁トランスや、ＬＥＤとフォトダイオードを組み合わせたフォトカプラや、ＩＣモジュール化されたもの等、絶縁状態で信号や電圧を伝送可能であればいずれの方法でも使用することができる。その結果、プロセッサ部３の回路に対して、スコープ部２の回路は電気的に浮いた状態になっているため、仮にスコープ部２において漏電が発生したとしても、患者は感電することがない構成となっている。
【００２８】
ＣＣＤシステム１０から出力されたアナログの映像信号は、信号ドライブ回路１１、絶縁部３０を介して、映像信号処理回路４０に入力される。映像信号処理回路４０では、入力された映像信号に対しＡ／Ｄ変換処理を行った後、制御部７０から供給される同期信号に基づいてデジタル映像信号をＲ信号、Ｇ信号、Ｂ信号として順次、メモリ部５０の所定の領域へと格納する。このメモリ部５０は、制御部７０によるメモリ書込み同期信号に基づいて動作制御されており、その後、Ｒ信号、Ｇ信号、Ｂ信号を出力する。
【００２９】
メモリ部５０の動作により出力され、同時化されたデジタル映像信号（すなわち、Ｒ信号、Ｇ信号、Ｂ信号）は、ビデオ画像処理回路６０に入力される。ビデオ画像処理回路６０では、Ｄ／Ａ変換、増幅等の処理が行われ、アナログビデオ信号としてモニタ８０に出力される。モニタ８０は、術者が体腔内の映像を見ながら観察・処置を行うことができる。また、静止画像も見ることができる。
【００３０】
制御部７０は、ＣＣＤシステム１０、映像信号処理回路４０、メモリ部５０、ビデオ画像処理回路６０の制御を行う。また、操作部９０からオペレータの操作に基づく信号を受信し、ＣＣＤシステム１０から後述する異常検出信号を受信する。例えば、異常検出信号を受信した場合、その信号の情報に基づいて、ビデオ画像処理回路６０によりモニタ８０に所定の画像や文字等を表示させることができる。また、制御部７０からの指令により、ブザーやスピーカ等（図示していない）で所定の音を発生させることもできる。これらの構成により、術者は、ＣＣＤへのVsubの供給に異常があり、ＣＣＤの駆動が停止したことを迅速に知ることができる。
【００３１】
なお、上述した本発明の実施形態における信号処理機構は、主として面順次方式電子内視鏡に対応するものであるが、本発明に係るＣＣＤ制御システム及び電子内視鏡装置は、同時方式等の電子内視鏡においても採用することができる。
【００３２】
次に、本発明の実施形態によるＣＣＤ制御システムについて説明する。
【００３３】
図２は、図１のＣＣＤシステム１０の詳細を示した機能ブロック図である。ＣＣＤシステム１０はＣＣＤ部１００とＣＣＤ制御回路部２００とからなる。ＣＣＤ部１００は、スコープ部２の挿入部の先端に配置されており、ＣＣＤ１１０とスイッチ回路１２０を含む。ＣＣＤ制御回路部２００は、スコープ部２のコネクタ付近に配置されており、Vsub生成回路２１０、ＣＣＤ駆動回路２４０、ＣＣＤ信号処理部２５０、Vout信号監視回路２６０を有する。なお、図２には電源及び電源供給線が図示されていないが、ＣＣＤ制御回路部２００に含まれる各機能ブロックにはプロセッサ部３からそれぞれ電源が供給されているものとする。
【００３４】
ＣＣＤ１１０は、電荷結合素子であって光電変換デバイスの１つである。ＣＣＤ１１０の受光面に照射された光の強弱の光学像をその強弱に応じた信号電荷に変換する動作を行う。この信号電荷の信号電圧への変換は水平ＣＣＤの出力段で行う。ＣＣＤ１１０はこのような光電変換機能を持ったセンサーデバイスであり、各素子が非常に微細化されているため、その製造プロセスは半導体微細加工技術が用いられている。従って、デバイス内部に寄生トランジスタがやむを得ず存在してしまう。その結果、Vsub以外の入力信号電圧がVsubを上回ると、ラッチアップ等が生じ発熱により、デバイスの破損へとつながる。
【００３５】
ＣＣＤ１１０は、Vsub生成回路２１０により生成されたVsub及び、ＣＣＤ駆動回路２４０から供給される複数のクロックパルス等のＣＣＤ入力信号を受けて、光電変換により蓄積された信号電荷を転送し、結果として電気信号を出力する。すなわち、本発明の実施形態によるVsub外部生成型のＣＣＤ１１０では、Vsub入力端子とクロックパルス入力端子がそれぞれ独立して存在するため、Vsubが入力されずVsub以外のＣＣＤ入力信号のみが入力されるという状況が起こりうる構造となっている。
【００３６】
ＣＣＤ駆動回路２４０は、ＣＣＤ１１０へ、複数種類のクロックパルス（例えば、水平駆動パルス、垂直駆動パルス、リセットゲートパルス等）やその他各種電源電圧を供給している。
【００３７】
Vsub生成回路２１０は、プロセッサ３の電源部２０から供給される電源電圧により、所定のVsubを生成し、スイッチ回路１２０を経てＣＣＤ１１０にVsubを供給する。Vsubがデバイス内部の様々な電位分布の基準値となるため、Vsubの入力なしにはＣＣＤは動作しない。そして、通常はVsub以外のＣＣＤ入力信号電圧の方がVsubよりも低いが、Vsubが入力されていない状態あるいはVsubが低下している状態でそのVsubよりも高い電圧のＣＣＤ入力信号が供給されると、ＣＣＤはラッチアップ等を引き起こしてしまう。そこで、本発明の実施形態では、Vsub低下を検知する手段の一つとして、Vsubの値に応じてスイッチを切り替えることができる機能を有するスイッチ回路１２０が設けられている。なお、Vsub供給線上にこのスイッチ回路１２０を設ける場合、モニタするVsub供給線の距離をできるだけ長くし、且つその回路とＣＣＤ１１０の間に生じる可能性のあるVsub供給異常の発生を防ぐために、可能な限りＣＣＤ１１０のVsub入力端子に近い位置に配置させることが好ましい。本発明の実施形態においては、スコープ先端のＣＣＤ部１００内にスイッチ回路１２０が配置されている。
【００３８】
図３はスイッチ回路１２０の概念図である。選択的に、スイッチ回路１２０はアナログスイッチ回路とコンパレータ等を組み合わせた比較的小型なＩＣ等である。スイッチ回路１２０はスコープ部２の挿入部先端のＣＣＤ部１００に配置されるため、より小型であるほうが好ましい。スイッチ回路１２０は、ＣＣＤ１１０の信号出力端子に接続される端子１２２、Vout信号監視回路２６０に接続される端子１２４、及びグランド（ＧＮＤ）に接続される端子１２６の３つの信号端子、及びVsub入力端子を少なくとも有する。スイッチ回路１２０は、Vsubが入力されていない場合、端子１２６と端子１２４を導通しており、端子１２４はＧＮＤとなっている。そしてVsubがある所定の値以上であれば端子１２２と端子１２４を導通（通常状態）させ、その後Vsubがある所定の値未満であれば端子１２４と端子１２６を導通（異常状態）させる機構を有する。したがって、正常なVsub（所定値以上のVsub）が入力されているときには、Vout信号監視回路２６０へＣＣＤ１１０の出力信号が伝送されるが、Vsub供給異常またはVsub出力異常により、Vsubが入力されていないとき又はVsubが所定の値未満となったときには、端子１２６と端子１２４が導通されるため、Vout信号監視回路２６０で検出されるスイッチ回路１２０の出力電圧（Vout信号電圧）はＧＮＤレベルとなる。
【００３９】
Vout信号監視回路２６０（図２）は、スイッチ回路１２０とＣＣＤ信号処理部２５０の間の出力信号伝送路上に設けられており、Vout信号電圧を監視している。Vout信号電圧が所定の値以下になった場合、即座にＣＣＤ駆動回路２４０に対し制御信号を送り、駆動信号の供給を停止させる。すなわち、本発明の実施形態では、スイッチ回路１２０においてVsubの低下が検出された場合に、端子１２６（ＧＮＤ）を端子１２４（すなわち、Vout信号監視回路２６０）と導通させるため、Vout信号監視回路２６０で検出される信号電圧が瞬時にＧＮＤレベルへと低下するので、Vout信号電圧が所定の値以下であると判断して、ＣＣＤ駆動回路２４０に制御信号を送信し、駆動信号の供給を停止することができる。また、Vout信号監視回路２６０は、ＣＣＤ駆動回路２４０に制御信号を送信すると同時に、プロセッサ部３へ異常検出信号を送信する。この異常検出信号は、制御部７０で受け取られ、例えば、ビデオ画像処理回路６０を介してモニタ８０に所定の表示をし、及び／又は音声等を発生させることにより、ユーザに異常があった旨を通知することを可能とする。
【００４０】
ＣＣＤ信号処理部２５０は、ＣＣＤ１１０から出力された電気信号を受信する。そして、ＣＣＤ駆動回路２４０から供給された同期信号に基づいて電気信号を映像信号へと変換する所定の処理を行う。その処理された映像信号はアナログ信号として、図１の信号ドライブ回路１１へと出力される。
【００４１】
したがって、本発明に係るＣＣＤ制御システムは、ＣＣＤ部１００内にスイッチ回路１２０を設け、さらにＣＣＤ制御回路部２００にVout信号監視回路２６０を設けることにより、ＣＣＤ１１０への配線を増やすことなく、挿入部の径を大きくすることなく、Vsub供給異常及びVsub出力異常を検出し、ＣＣＤ駆動回路２４０を停止して、ＣＣＤ１１０のラッチアップ等による破損を防止することができる。また、このシステムを採用した電子内視鏡装置は、スコープ部２の先端付近に配置されたＣＣＤ１１０への配線を増やすことなく、Vsub供給異常及びVsub出力異常を検出し、ＣＣＤ１１０のラッチアップ等による破損を防止することができる。
【図面の簡単な説明】
【００４２】
【図１】本発明の実施形態の電子内視鏡装置の機能ブロック図である。
【図２】図１に示すＣＣＤシステムの機能ブロック図である。
【図３】本発明の実施形態のスイッチ回路を示す図である。
【符号の説明】
【００４３】
１  電子内視鏡装置
２  スコープ部
３  プロセッサ部
１０  ＣＣＤシステム
１１  信号ドライブ回路
２０  電源部
３０  絶縁部
４０  映像信号処理回路
５０  メモリ部
６０  ビデオ画像処理回路
７０  制御部
８０  モニタ
９０  操作部
１００  ＣＣＤ部
１１０  ＣＣＤ
１２０  スイッチ回路
１２２，１２４，１２６  端子
２００  ＣＣＤ制御回路部
２１０  Vsub生成回路
２４０  ＣＣＤ駆動回路
２５０  ＣＣＤ信号処理部
２６０  Vout信号監視回路
【図１】
2006212247.tif 000003
【図２】
2006212247.tif 000004
【図３】
2006212247.tif 000005